(57)【要約】      （修正有）【課題】ドリルビットの確実な回り止め及び脱着の困難の回避が可能なドリルビット用アダプタを提供する。【解決手段】ドリルビット用アダプタＤＡは、ドリルビット１０のシャンク部１４を保持するドリルビット保持部２１を有するアダプタ本体２０と、シャンク部の抜け止め用被係止部１６を係止する係止状態と解放する解放状態とに切換可能な抜け止め部３０と、シャンク部のドリルビット保持部に対する相対回転を阻止するようにシャンク部の回り止め用被係止部１８を係止する回り止め部４０と、を備える。回り止め部４０は、ドリルビットの中心軸に交差する方向に延びて回り止め用被係止部１８の一対の被係止用平面に対して径方向外側から接触することによりドリルビット保持部に対するドリルビットの相対回転を規制する一対の回り止め部材４２を含む。【選択図】図１
0003201562.tif 000002
【実用新案登録請求の範囲】
【請求項１】
先端側にドリル部を有しかつ後端側にシャンク部を有するドリルビットであって当該シャンク部に抜け止め用被係止部と回り止め用被係止部とが設けられかつ回り止め用被係止部はその直径方向について互いに反対の側を向く一対の被係止用平面を含むドリルビットを保持しながら回転駆動装置に装着されることにより当該回転駆動装置による前記ドリルビットの回転駆動を可能にするドリルビット用アダプタであって、
前記シャンク部を保持するドリルビット保持部と前記回転駆動装置に装着されて回転駆動される被駆動部とを一体に有するアダプタ本体であって、前記ドリルビット保持部は前記ドリルビットの前記シャンク部がその中心軸に沿って挿入されることを許容するシャンク部挿入孔を画定するものと、
前記ドリルビット保持部に設けられ、前記シャンク部挿入孔に挿入された前記シャンク部の前記抜け止め用被係止部を係止することにより前記シャンク部挿入孔からの前記シャンク部の離脱を阻止する係止状態と前記抜け止め用被係止部を解放して前記シャンク部挿入孔からの前記シャンク部の離脱を許容する解放状態とに切換可能な抜け止め部と、
前記ドリルビット保持部に設けられ、前記シャンク部挿入孔に挿入された前記シャンク部の前記ドリルビット保持部に対する相対回転を阻止するように前記回り止め用被係止部を係止する回り止め部と、を備え、
前記回り止め部は、前記一対の被係止用平面に対して前記交差方向に沿う姿勢で径方向外側から接触するように前記ドリルビット保持部内に前記被係止用平面と平行でかつ前記ドリルビットの中心軸に対して交差する交差方向に延びる一対の回り止め部材を含み、当該一対の回り止め部材は前記被係止用平面との接触により前記ドリルビット保持部に対する前記ドリルビットの相対回転を規制する、ドリルビット用アダプタ。
【請求項２】
請求項１記載のドリルビット用アダプタであって、前記各回り止め部材は、前記ドリルビット保持部に対して前記交差方向に沿う方向に圧入されて当該ドリルビット保持部に固定されている、ドリルビット用アダプタ。
【請求項３】
請求項１または２記載のドリルビット用アダプタであって、前記交差方向は、例えば前記ドリルビットの中心軸に対して直交する方向である、ドリルビット用アダプタ。
【請求項４】
請求項１〜３のいずれかに記載のドリルビット用アダプタであって、前記一対の回り止め部材のそれぞれは前記交差方向に延びる方向の中心軸をもつ円筒状の外周面を有し、当該外周面が前記被係止用平面に接触する、ドリルビット用アダプタ。
【考案の詳細な説明】
【技術分野】
【０００１】
本考案は、ドリルビットのシャンク部を保持しながら回転駆動装置に装着されるシャンクアダプタに関する。
【背景技術】
【０００２】
従来、ドリルビットのシャンク部を保持しながら回転駆動装置に装着されるドリルビット用アダプタとして、特許文献１に記載されるものが知られている。このアダプタは、ドリルビットのシャンク部がその軸方向に挿入可能な軸孔をもつアダプタ本体と、当該軸孔に挿入されたシャンク部の軸方向の抜けを阻止する抜け止め部と、当該シャンク部の当該アダプタ本体に対する相対回転を規制する回り止め部と、を備える。前記シャンク部は、その軸方向の一部であって前記回り止め部により係止される被係止部を有し、この被係止部は、その周方向の一部が平面により構成される断面形状を有する。前記アダプタ本体には、前記被係止部を直径方向に横切る有底の回り止め用孔が設けられ、この回り止め用孔の底部に回り止め部材が挿入されている。当該回り止め部材は球状をなし、前記被係止部に含まれる平面部分に対して前記直径方向にほぼ点接触で圧接することにより、当該被係止部が当該アダプタ本体に対して相対回転することを規制する。
【先行技術文献】
【特許文献】
【０００３】
【特許文献１】特開２０００−１９８００６号公報
【考案の概要】
【考案が解決しようとする課題】
【０００４】
前記アダプタでは、前記ドリルビットが穿孔対象物（例えば壁）から受ける回転反力であるトルクが当該ドリルビットのシャンク部に形成された平面とアダプタ側の球状の回り止め部材との接触（ほぼ点接触）の箇所に集中するため、当該回り止め部材が当該平面に食い込む圧力が非常に大きい。この食い込みは、施工後のアダプタからのドリルビットの脱着を困難にするおそれがある。
【０００５】
本考案は、このような事情に鑑み、ドリルビットに大きなトルクが作用する場合にもこれに十分な力で対抗して確実な回り止めをすることができ、かつ、当該トルクに起因して当該ドリルビットの脱着が困難となることが回避可能なドリルビット用アダプタを提供することを目的とする。
【課題を解決するための手段】
【０００６】
本考案は、先端側にドリル部を有しかつ後端側にシャンク部を有するドリルビットであって当該シャンク部に抜け止め用被係止部と回り止め用被係止部とが設けられかつ回り止め用被係止部はその直径方向について互いに反対の側を向く一対の被係止用平面を含むドリルビットを保持しながら回転駆動装置に装着されることにより当該回転駆動装置による前記ドリルビットの回転駆動を可能にするドリルビット用アダプタを提供する。このドリルビット用アダプタは、前記シャンク部を保持するドリルビット保持部と前記回転駆動装置に装着されて回転駆動される被駆動部とを一体に有するアダプタ本体であって前記ドリルビット保持部は前記ドリルビットの前記シャンク部がその中心軸に沿って挿入されることを許容するシャンク部挿入孔を画定するものと、前記ドリルビット保持部に設けられ、前記シャンク部挿入孔に挿入された前記シャンク部の前記抜け止め用被係止部を係止することにより前記シャンク部挿入孔からの前記シャンク部の離脱を阻止する係止状態と前記抜け止め用被係止部を解放して前記シャンク部挿入孔からの前記シャンク部の離脱を許容する解放状態とに切換可能な抜け止め部と、前記ドリルビット保持部に設けられ、前記シャンク部挿入孔に挿入された前記シャンク部の前記ドリルビット保持部に対する相対回転を阻止するように前記回り止め用被係止部を係止する回り止め部と、を備える。前記回り止め部は、前記一対の被係止用平面に対して径方向外側から接触するように前記ドリルビット保持部内に前記被係止用平面と平行でかつ前記ドリルビットの中心軸に対して交差する交差方向に延びる一対の回り止め部材を含む。当該一対の回り止め部材は、前記一対の被係止用平面に対して前記交差方向に沿う姿勢で当該被係止用平面と接触することにより、前記ドリルビット保持部に対する前記ドリルビットの相対回転を規制する。
【０００７】
このドリルビット用アダプタでは、直径方向について互いに反対の側を向く一対の被係止用平面のそれぞれに前記回り止め部材が接触し、かつ、各回り止め部材はこれに対応する被係止用平面を前記ドリルビットの中心軸に対して交差する交差方向に横切りながら当該被係止用平面に沿うように接触するので、前記ドリルビットに大きなトルクが作用する場合にもこれに十分対抗し得る力で前記ドリルビット保持部に対する前記ドリルビットの相対回転を規制することができる。しかも、前記ドリルビットに作用するトルクは、従来のアダプタのように被係止用平面と球状の回り止め部材との点接触部分に集中することがなく、一対の被係止用平面のそれぞれに分散され、さらに、各被係止用平面に対して交差方向に沿うように接触する各回り止め部材の当該交差方向に分散されるため、当該被係止用平面に対する当該回り止め部材の食い込み度合いが少なく、よって、当該食い込みに起因してドリルビット保持部からのシャンク部の脱着が困難となることが防がれる。
【０００８】
また、前記各回り止め部材は、前記ドリルビット保持部に対して前記交差方向に沿う方向に圧入されることにより、当該ドリルビット保持部に固定されることが可能である。
【０００９】
前記交差方向は、例えば前記ドリルビットの中心軸に対して直交する方向であることが、好ましい。このことは、当該交差方向の回り止め部材の寸法を最小限に抑えながら大きな回り止め用の保持力を得ることを可能にする。
【００１０】
また、前記一対の回り止め部材のそれぞれは前記交差方向に延びる方向の中心軸をもつ円筒状の外周面を有し、当該外周面が前記被係止用平面に接触することが、好ましい。このような円筒状外周面をもつ回り止め部材では、当該円筒状外周面の周方向のどの位置においても当該円筒状外周面とその中心軸との距離が一定であるため、当該中心軸と前記被係止用平面との距離を管理するだけで確実に当該被係止用平面と前記円筒状外周面との良好な接触を実現することが可能である。
【００１１】
なお、本考案に係るドリルビット用アダプタに保持されるドリルビットの回り止め用被係止部は、少なくとも一対の被係止用平面を含んでいればよく、本考案は当該回り止め用被係止部が複数対の被係止用平面を含むことを除外しない。
【考案の効果】
【００１２】
以上のように、本考案によれば、ドリルビットに大きなトルクが作用する場合にもこれに十分な力で対抗して確実な回り止めをすることができ、かつ、当該トルクに起因して当該ドリルビットの脱着が困難となることが回避可能なドリルビット用アダプタが提供される。
【図面の簡単な説明】
【００１３】
【図１】本考案の実施の形態に係るドリルビット用アダプタ及びこれに保持されるドリルビットを示す一部断面正面図である。
【図２】図１の一部を拡大した断面図である。
【図３】図２のＩＩＩ−ＩＩＩ線に沿った断面を示す図である。
【考案を実施するための形態】
【００１４】
本考案の好ましい実施の形態を、図面を参照しながら説明する。
【００１５】
図１〜図３は、この実施の形態に係るドリルビット用アダプタＤＡと、当該ドリルビット用アダプタＤＡによって着脱可能に保持されるドリルビット１０と、を示す。前記ドリルビット用アダプタＤＡは、前記ドリルビット１０を保持しながら回転駆動装置ＲＤに装着される、詳しくは当該回転駆動装置ＲＤの回転出力軸に連結される、ことにより、前記ドリルビット１０が前記回転駆動装置ＲＤによって高速で回転駆動されることを可能にする。
【００１６】
前記ドリルビット１０は、先端側に螺旋状のドリル部１１をもつ本体軸１２と、この本体軸１２の後ろ側に位置するシャンク部１４と、を一体に有する。シャンク部１４は、本体軸１２の直径よりも小さい直径を有する。シャンク部１４は、当該シャンク部１４の軸方向の中間位置に形成された抜け止め用被係止部１６と、当該シャンク部１４の後端に形成された回り止め用被係止部１８と、を有する。
【００１７】
前記抜け止め用被係止部１６は、この実施の形態では全周に亘って延びる周溝からなる。当該周溝は径方向内向きに凸となる滑らかな曲線によって画定された断面を有する。
【００１８】
前記回り止め用被係止部１８は、複数対の被係止用平面１９を有する。互いに対をなす被係止用平面１９は、ドリルビット１０の直径方向について互いに反対の側を向く。この実施の形態では、前記回り止め用被係止部１８に二対の被係止用平面１９が与えられており、第１の対をなす被係止用平面１９の法線方向と第２の対をなす被係止用平面１９の法線方向とが直交している。換言すれば、この実施の形態に係る回り止め用被係止部１８の外周面は、前記シャンク部１４の円筒状外周面を互いに９０°間隔で配置された計４つの被係止用平面１９によって切欠いた形状を有する。つまり、当該回り止め用被係止部１８は、図３に示すような断面形状であって、９０°間隔で並ぶ４本の直線によって円を切欠いた断面形状を有する。
【００１９】
なお、本考案に係る回り止め用被係止部は、少なくとも一対の被係止用平面を含んでいればよい。あるいは、三対以上の被係止用平面を含んでいてもよい。例えば、６０°間隔で並ぶ６個の被係止用平面を含んでいてもよい。
【００２０】
前記ドリルビット用アダプタＤＡは、ドリルビット保持部２１と被駆動部２２とを一体に有するアダプタ本体２０と、前記ドリルビット保持部２１に取付けられる抜け止め部３０及び回り止め部４０と、を備える。
【００２１】
前記アダプタ本体２０のドリルビット保持部２１は、前記ドリルビット１０のシャンク部１４を着脱可能に保持する部分である。この実施の形態に係るドリルビット保持部２１は、略円柱状をなし、第１の外径をもつ前側部分２１ａと、第１の外径よりも大きな第２の外径をもつ後側部分２１ｂと、を有しており、当該前側部分２１ａと当該後側部分２１ｂとの間には段部２１ｃが形成されている。
【００２２】
前記ドリルビット保持部２１は、その中心軸に沿って延びるシャンク部挿入孔２４を画定する。当該シャンク部挿入孔２４は、前記前側部分２１ａの前端面から前記後側部分２１ｂの後端面よりも僅かに前側の位置に至るまで延び、前記シャンク部１４がその中心軸に沿って当該シャンク部挿入孔２４内にほぼ隙間なく挿入されることを許容する形状を有する。
【００２３】
このドリルビット保持部２１には、さらに、図３に示すような複数の抜け止め用孔２６及び複数の回り止め用孔２８が穿設されている。
【００２４】
前記複数の抜け止め用孔２６は、前記ドリルビット保持部２１の前側部分２１ａにおいて前記シャンク部挿入孔２４に挿入された前記シャンク部１４の前記抜け止め用被係止部１６と軸方向に合致する位置に設けられ、周方向に等間隔で配列されている。各抜け止め用孔２６は前記ドリルビット保持部２１の外周面と前記シャンク部挿入孔２４との間の部分を径方向に貫通する形状を有する。
【００２５】
前記複数の回り止め用孔２８は、前記ドリルビット保持部２１の後側部分２１ｂにおいて前記シャンク部挿入孔２４に挿入された前記シャンク部１４の前記回り止め用被係止部１８と軸方向に合致する位置に設けられている。前記シャンク部挿入孔２４の後端部を所定の交差方向にかすめるように当該後端部の両側（シャンク部挿入孔２４を挟んでその直径方向の両側）に形成されている。前記交差方向は、前記ドリルビット１０の中心軸に対して直交する方向である。図２に示すように、前記各回り止め用孔２８の一方の端は前記後側部分２１ｂの外周面上で開口する圧入口２８ａを構成し、他方の端は前記シャンク部挿入孔２４を挟んで前記圧入口２８ａと反対の側の位置で底部２８ｂを構成している。
【００２６】
前記抜け止め部３０は、前記ドリルビット保持部２１の前側部分２１ａに設けられ、図１及び図３に示す係止状態すなわち前記シャンク部挿入孔２４に挿入された前記シャンク部１４の前記抜け止め用被係止部１６を係止することにより前記シャンク部挿入孔２４からの前記シャンク部１４の離脱を阻止する状態と、前記抜け止め用被係止部１６を解放して前記シャンク部挿入孔２４からの前記シャンク部１４の離脱を許容する解放状態とに切換可能である。具体的に、この実施の形態に係る抜け止め部３０は、複数の抜け止め部材３２と、スリーブ３４と、圧縮コイルばね３６と、を含む。
【００２７】
前記複数の抜け止め部材３２は、それぞれ剛球からなり、前記複数の抜け止め用孔２６内にそれぞれ装填される。各抜け止め用部材３２は、前記抜け止め用孔２６の深さ寸法すなわちシャンク径方向の寸法よりも僅かに大きい直径であって、当該抜け止め用部材３２の外側端と前記ドリルビット保持部２１の外周面とが径方向に合致する位置において当該抜け止め用部材３２の内側端が前記シャンク部１４の抜け止め用被係止部１６に嵌まり込んで当該シャンク部１４の軸方向への離脱を阻止するような直径を有する。
【００２８】
前記スリーブ３４は、前記ドリルビット保持部２１の前側部分２１ａを径方向の外側から覆う筒状をなす。このスリーブ３４の内周面は、ばね収容部３４ａと、抜け止め保持部３４ｂと、抜け止め解除部３４ｃと、を含み、これらは軸方向の前側から順に並んでいる。前記ばね収容部３４ａは、前記前側部分２１ａの外径よりも大きな径を有し、当該ばね収容部３４ａと前記前側部分２１ａの外周面との間に前記圧縮コイルばね３６の収容が可能な空間を形成する。前記抜け止め保持部３４ｂは、前記前側部分２１ａの外径と略等しい径を有し、図１及び図２に示すように前記スリーブ３４の後端が前記段部２１ｃに当接する位置（係止位置）に当該スリーブ３４がある状態で前記抜け止め部材３２を径方向内側に押し込んで前記抜け止め用被係止部１６に嵌合させる形状を有する。前記抜け止め解除部３４ｃは、前記抜け止め保持部３４ｂよりも大きな径を有し、前記スリーブ３４が前記係止位置よりも前側の解除位置まで前進した状態で前記抜け止め部材３２が前記抜け止め用被係止部１６から径方向外側に退避することを可能にし、これにより前記シャンク部挿入孔２４からの前記シャンク部１４の離脱を可能にする形状を有する。
【００２９】
前記圧縮コイルばね３６は、前記スリーブ３４を前記係止位置側に付勢するように前記ばね収容部３４ａの内側の隙間内に収容されている。具体的には、前記前側部分２１ａの前端にその外周面から外向きに突出するように止めリング３８が固定され、この止めリング３８と前記スリーブ３４における前記ばね収容部３４ａの後端を画定する段部３４ｄとの間に挟まれるように圧縮状態で装填されている。当該圧縮コイルばね３６は、その弾発力によって前記スリーブ３４を前記係止位置に保持する一方、当該圧縮コイルばね３６の圧縮弾性変形によって前記スリーブ３４が前記係止位置からその前方の前記係止解除位置に移動することを許容する。
【００３０】
前記回り止め部４０は、前記ドリルビット保持部２１の後側部分２１ｂに設けられ、前記シャンク部挿入孔２４に挿入された前記シャンク部１４の前記回り止め用被係止部１８を係止することにより前記ドリルビット保持部２１に対する前記シャンク部１４の相対回転を阻止する。
【００３１】
具体的に、この実施の形態に係る回り止め部４０は、一対の回り止め部材４２を有する。この実施の形態に係る回り止め部材４２は、円筒状外周面をもつ略円柱状をなし、前記ドリルビット保持部２１の後側部分２１ｂに設けられた前記各回り止め用孔２８の内径よりも僅かに大きい外径を有する。各回り止め部材４２は、図２に示される各回り止め用孔２８の圧入口２８ａを通じて当該回り止め用孔２８の底部２８ｂに至るまで当該回り止め用孔２８に圧入されることにより、前記後側部分２１ｂの内部に固定される。
【００３２】
前記各回り止め部材４２は、前記シャンク部挿入孔２４内に挿入される前記シャンク部１４の回り止め用被係止部１８において互いに対をなす被係止用平面１９に対して前記円筒状外周面が径方向外側から接触するように、前記交差方向すなわち前記被係止用平面１９と平行でかつ前記ドリルビット１０の中心軸に対して直交する方向（図１及び図２の奥行き方向；図３の左右方向）に延びる。当該回り止め部材４２は、前記一対の被係止用平面１９に対して前記交差方向に沿う姿勢で当該被係止用平面１９と接触することにより、前記ドリルビット保持部２１に対する前記ドリルビット１０の相対回転を規制する。
【００３３】
次に、このドリルビット用アダプタＤＡの使用要領について説明する。
【００３４】
１）ドリルビット保持部２１へのドリルビット１０の装着
前記ドリルビット１０は、ドリルビット用アダプタＤＡを介して回転駆動装置ＲＤの回転出力軸に連結されて回転駆動されることが可能であるが、その装着にあたり、まず当該ドリルビット用アダプタＤＡのドリルビット保持部２１への前記ドリルビット１０の装着が行われる。この装着は、ｉ）作業者がスリーブ３４を把持しながらこれを軸方向に操作することにより当該スリーブ３４を圧縮コイルばね３６の弾発力に抗して図１及び図２に示す係止位置からその前方の解除位置（スリーブ３４の抜け止め解除部３４ｃが抜け止め部材３２の径方向外側への退避を受け入れる位置）まで前進させることと、ｉｉ）この状態で前記ドリルビット保持部２１のシャンク部挿入孔２４内に前記ドリルビット１０のシャンク部１４を挿入することと、ｉｉｉ）その挿入の完了後に作業者が前記スリーブ３４を放して圧縮コイルばね３６の弾発力により当該スリーブ３４を前記係止位置（図２に示すように前記スリーブ３４の抜け止め保持部３４ｂが前記抜け止め部材３２を径方向内側に押し込んで前記シャンク部１４の抜け止め用被係止部１６に嵌め込む位置）に戻すことと、により行われる。当該装着状態において、各回り止め部材４２は回り止め用被係止部１８の各被係止用平面１９に接触することにより、ドリルビット保持部２１に対するドリルビット１０の相対回転を規制する。
【００３５】
２）回転駆動装置ＲＤへのドリルビット用アダプタＤＡの装着
前記ドリルビット用アダプタＤＡのアダプタ本体２０における被駆動部２２が回転駆動装置ＲＤに装着されてその回転出力軸に連結される。これにより、当該回転出力軸と一体に前記ドリルビット用アダプタＤＡさらにはこれに保持されるドリルビット１０が高速で回転駆動されることが可能であり、当該ドリルビット１０によって加工物（例えば壁）に穿孔を行うことが可能である。
【００３６】
ここで、前記ドリルビット保持部２１においては、ドリルビット１０の直径方向について互いに反対の側を向く一対の被係止用平面１９のそれぞれに回り止め部材４２が接触し、かつ、各回り止め部材４２はこれに対応する被係止用平面１９を前記ドリルビットの中心軸に対して直交する交差方向に横切りながら当該被係止用平面１９に沿うように接触するので、前記ドリルビット１０が前記加工物から大きな反力（トルク）を受ける場合にもこれに十分対抗し得る力で前記ドリルビット保持部２１に対する前記ドリルビット１０の相対回転を規制することができる。しかも、前記ドリルビット１０に作用するトルクは、従来のアダプタのように被係止用平面と剛球との点接触部分に集中することがなく、一対の被係止用平面１９のそれぞれに分散され、さらに、各被係止用平面１９に対して前記交差方向に沿うように接触する前記各回り止め部材４２の当該交差方向に分散されるため、当該被係止用平面１９に対する当該回り止め部材４２の食い込み度合いが少ない。
【００３７】
３）ドリルビット保持部２１からのドリルビット１０の脱着
ドリルビット用アダプタＤＡに保持されるドリルビット１０を交換する場合等には、当該ドリルビット用アダプタＤＡからの当該ドリルビット１０の脱着が行われる。この脱着は、前記ドリルビット用アダプタＤＡのスリーブ３４を再び操作して前記係止位置から前記解放位置まで移動させ、この状態でシャンク部挿入孔２４からシャンク部１４を抜き取ることにより、行われるが、前記のように加工時にドリルビット１０に大きなトルクが作用する場合でも各被係止用平面１９に対する各回り止め部材４２の食い込みが抑止されるので、作業者は比較的低い力で容易にシャンク部挿入孔２４からシャンク部１４を抜き取ることが可能である。
【００３８】
本考案は、以上説明した実施の形態に限定されない。本考案は、例えば次の実施の形態を含むことも可能である。
【００３９】
ａ）回り止め部材が延びる交差方向（前記実施の形態では抜け止め部材４２が圧入される方向）は、ドリルビットの中心軸に対して直交する方向に限らず、当該中心軸に対して傾斜した方向であってもよい。しかし、当該交差方向が当該ドリルビットの中心軸に対して直交する方向であることは、抜け止め部材の当該交差方向の寸法を最小限に抑えながら大きな回り止め用の保持力を得ることを可能にする。
【００４０】
ｂ）回り止め部材の外周面は円筒状のものに限られない。例えば、当該回り止め部材は角柱状であってその側面が被係止用平面と面接触し、あるいは稜線部分が被係止用平面と線接触するものであってもよい。ただし、前記回り止め部材４２のように円筒状外周面を有するものは、当該円筒状外周面の周方向のどの位置においても当該円筒状外周面とその中心軸との距離が一定であるため、当該中心軸と前記被係止用平面との距離を管理するだけで確実に当該被係止用平面と前記円筒状外周面との良好な接触を実現することができる利点がある。
【００４１】
ｃ）本考案において抜け止め部の具体的な構造は問わない。当該抜け止め部は、例えば、シャンク部に形成された係合部と係合するようにドリルビット保持部に対して着脱可能に装着される抜け止めピンを含むものであってもよい。
【符号の説明】
【００４２】
ＤＡ    ドリルビット用アダプタ
ＲＤ    回転駆動装置
１０    ドリルビット
１１    ドリル部
１２    本体軸
１４    シャンク部
１６    抜け止め用被係止部
１８    回り止め用被係止部
１９    被係止用平面
２０    アダプタ本体
２１    ドリルビット保持部
２２    被駆動部
２４    シャンク部挿入孔
３０    抜け止め部
４０    回り止め部
４２    回り止め部材
【図１】
0003201562.tif 000003
【図２】
0003201562.tif 000004
【図３】
0003201562.tif 000005